(57)【特許請求の範囲】
【請求項１】
左眼用イメージに対応する第１ピクセルと右眼用イメージに対応する第２ピクセルとを含む複数のピクセルからなるイメージ表示部と、前記イメージ表示部のいずれか一面に対向配置される視差バリアと、を備え、
前記視差バリアは、
前記イメージ表示部の一方向に所定間隔をおいて繰り返し配置される光遮断部と；
前記光遮断部の間に位置し、前記光遮断部と交互に配置される光透過部と；
前記光遮断部と前記光透過部との境界に位置して、前記複数のピクセルから放出される光経路を調節するカラーフィルタと；
を含み、
前記イメージ表示部の複数のピクセルの各々は、前記複数のピクセルの行方向に順次配置される赤色、緑色、青色の３個のサブピクセルを備え、
前記緑色のサブピクセルは３個のサブピクセルの中間に位置し、
前記カラーフィルタは、
前記光透過部と前記光遮断部との境界の一方に位置し、前記光透過部に隣接する第１カラーフィルタと、
前記境界の他方に位置し、前記光透過部に隣接する、前記第１カラーフィルタと異なる色を備える第２カラーフィルタと、
を含み、
前記第１カラーフィルタと前記第２カラーフィルタの各々は、赤色と青色を有し、
前記第１カラーフィルタは赤色を、前記第２カラーフィルタは青色を透過させる、立体映像表示装置。
【請求項２】
前記光透過部は、少なくとも１の前記第１ピクセルの光経路に左眼が、少なくとも１の前記第２ピクセルの光経路に右眼が位置するように配置されることを特徴とする、請求項１に記載の視差バリアを備えた立体映像表示装置。
【請求項３】
前記視差バリアは、
第１基板と；
前記第１基板と対向配置される第２基板と；
前記第１基板および前記第２基板の間に形成される第１電極と；
前記第１基板および前記第２基板の間に形成され、前記第１電極より前記第２基盤側に位置する第２電極と；
前記第１電極と第２電極の間に形成される液晶層と；
を含み、
前記第１電極は、前記イメージ表示部の一方向に所定間隔をおいて繰り返し配置され；
前記カラーフィルタは、前記光遮断部と前記光透過部との境界に接し、光透過部の内側に配置されること；
を特徴とする、請求項１に記載の視差バリアを備えた立体映像表示装置。
【請求項４】
前記視差バリアは、
前記液晶層の両面と隣接するように配置される一対の配向膜と；
前記第１基板の外面に形成される第１偏光板と；
前記第２基板の外面に形成される第２偏光板と；
前記第１基板と前記第１電極の間に配置され、カラーフィルタを覆う平滑層と；
をさらに含むことを特徴とする、請求項３に記載の視差バリアを備えた立体映像表示装置。
【請求項５】
前記カラーフィルタは、前記第１基板と接触し、前記平滑層によって、前記第１電極および前記配向膜から隔離されて位置することを特徴とする、請求項４に記載の視差バリアを備えた立体映像表示装置。
【請求項６】
前記視差バリアは、
透明基材と；
前記透明基材のいずれか一面に位置して、前記イメージ表示部の一方向に所定間隔をおいて繰り返し配置される不透明層と；
を含み、
前記カラーフィルタは、前記光遮断部と前記光透過部との境界に対応して配置されることを特徴とする、請求項１に記載の視差バリアを備えた立体映像表示装置。
【請求項７】
複数のピクセルを備えたイメージ表示部で、左眼用イメージと右眼用イメージに分離されて形成されたイメージを、使用者に立体映像として提供する立体映像表示用視差バリアにおいて：
前記視差バリアは、
前記イメージ表示部の一方向に所定間隔で繰り返し配置される光遮断部と；
前記光遮断部の間に位置する光透過部と；
前記光遮断部と前記光透過部との境界に位置して、前記イメージ表示部から放出される光経路を調節するカラーフィルタと；
を含み、
前記複数のピクセルの各々は、前記複数のピクセルの行方向に順次配置される赤色、緑色、青色の３個のサブピクセルを備え、
前記緑色のサブピクセルは３個のサブピクセルの中間に位置し、
前記光透過部と隣接する一対の前記カラーフィルタの一方のカラーフィルタは、緑色のサブピクセルを除いた赤色または青色の一方を透過させ、
前記カラーフィルタの他方のカラーフィルタは、赤色または青色の他方を透過させる、立体映像表示用視差バリア。
【発明の詳細な説明】
【技術分野】
【０００１】
本発明は，立体映像表示装置に関し，より詳しくは視差バリアを使用するオートステレオスコピ方式の立体映像表示装置に関する。
【背景技術】
【０００２】
立体映像表示装置は，使用者の左眼と右眼に互いに異なるイメージを提供して，使用者が見る映像に距離感と立体感とを与える装置であって，その方式としては，ステレオスコピ方式とオートステレオスコピ（ａｕｔｏｓｔｅｒｅｏｓｃｏｐｙ）方式がある。
【０００３】
近日は，装置の使用者が偏光眼鏡のような装備を着用せずに立体映像を視聴することができるオートステレオスコピ方式が活発に開発されている。
【０００４】
通常のオートステレオスコピ装置は，イメージ表示部前面に視差バリア，レンチキュラーレンズ，またはマイクロレンズアレイなどを備えて，イメージ表示部で実現された左眼用イメージと右眼用イメージを各々使用者の左眼方向と右眼方向に空間分割する方式が採択されている。
【０００５】
特に視差バリアは，透過型液晶表示素子を応用した液晶シャッターとして製作することができ，この場合は，２次元モードと３次元モードの変換が可能な長所があるため，ラップトップコンピュータやモバイル電話などに容易に適用できる。
【０００６】
画像を表示するイメージ表示部には，一つのセットになる赤色（Ｒ）と緑色（Ｇ）および青色（Ｂ）のサブピクセルが反復配置される。
【０００７】
上記サブピクセルに対応して，イメージ表示部に設けられた電極には，左眼用映像信号と右眼用映像信号のうち，いずれか一つの映像信号が入力されるが，通常この信号はサブピクセルの配列順に反復入力される。
【０００８】
視差バリアは，帯形状の光遮断部と光透過部とを含み，通常，少なくとも２つのサブピクセルごとに，上記サブピクセルで表示されるイメージを使用者に提供する一つの光透過部が対応して配置されるように構成される。
【０００９】
上記の構成によって，イメージ表示部の右眼用サブピクセルで実現された右眼用イメージは，視差バリアの光透過部を経て使用者の右眼に提供され，イメージ表示部の左眼用サブピクセルで実現された左眼用イメージは，視差バリアの光透過部を経て使用者の左眼に提供される。このため，使用者はイメージ表示部で実現される映像を立体映像として認識する。
【００１０】
一方，立体映像表示装置で，視差バリアが液晶シャッターで構成される場合，使用者がこの立体映像表示装置を通じて実際立体映像を視聴できるようにするためには，立体映像表示装置と使用者との間の距離（観察距離）は，おおよそ３００〜４００ｍｍに維持されるべきである。しかし，このような観察距離は，立体映像表示装置がモバイル電話やＰＤＡのような小型機器に適用される場合には，該小型機器の特性によってさらに遠くなる。
【００１１】
したがって，上記小型機器に立体映像表示装置を適用して，使用者が立体映像を楽しむためには，上記観察距離を減らす必要があった。そこで従来は，イメージ表示部に形成されるイメージ表示面と視差バリアに形成されるイメージ分離面間との距離を減らして，上記観察距離を最適化しようとした。
【００１２】
係る努力の一環として，イメージ表示部に対応する平板ディスプレイ（例：液晶表示装置）と視差対応液晶シャッターに各々用いられるガラス基板の厚さを減らして，上記観察距離を減らすことができた。
【００１３】
しかし，上記方法では，ガラス基板に必要な最小厚さの確保と，それに伴う製造工程上の問題により，上記観察距離を短縮するには限界があった。
【００１４】
他の方法としては，イメージ表示部でサブピクセル単位ではなく，ピクセルを単位として左眼用イメージと右眼用イメージを分離構成し，上記観察距離を減らそうとする努力もあった。しかし，上記分離構成ではＲ，Ｇ，Ｂそれぞれのサブピクセル単位で組立てられる光が一ヶ所に集まることなく分散する色分散現象が起こる。
【００１５】
上記色分散現象が起こると，立体映像を見る使用者が視線を少し左右に動かすだけでも，実現映像の色が明確に見えずに広がって見えるため，紛らわしさを感じ，その結果，立体映像の観察自由度が低下する問題がある。
【発明の開示】
【発明が解決しようとする課題】
【００１６】
本発明は，上記問題点に鑑みてなされたものであり，本発明の目的は，観察距離を減らし，色分散を最少化できる視差バリアおよびこれを備えた立体映像表示装置を提供することである。
【課題を解決するための手段】
【００１７】
上記課題を解決するために、本発明のある観点によれば、左眼用イメージに対応する第１ピクセルと右眼用イメージに対応する第２ピクセルとを含む複数のピクセルからなるイメージ表示部と，上記イメージ表示部のいずれか一面に対向配置される視差バリアと，を備え，上記視差バリアは，上記イメージ表示部の一方向に所定間隔で繰り返し配置される光遮断部と；上記光遮断部の間に位置し，上記光遮断部と交互に配置される光透過部と；上記光遮断部と上記光透過部との境界に位置して，上記複数のピクセルから放出される光経路を調節するカラーフィルタと；を含み、上記イメージ表示部の複数のピクセルの各々は３個のサブピクセルを備え、上記カラーフィルタは、上記光透過部と上記光遮断部との境界の一方に位置し、上記光透過部に隣接する第１カラーフィルタと、上記境界の他方に位置し、上記光透過部に隣接する、上記第１カラーフィルタと異なる色を備える第２カラーフィルタと、を含み、上記第１カラーフィルタと上記第２カラーフィルタの各々は、上記３個のサブピクセルのうち、中間に位置するサブピクセルを除いた残り２つのサブピクセルに対応する色を有する、視差バリアを備えた立体映像表示装置が提供される。
【００１８】
上記光透過部は，上記光透過部は，少なくとも１の上記第１ピクセルの光経路に左眼が，少なくとも１の上記第２ピクセルの光経路に右眼が位置するように配置されるとしてもよい。係る構成により，使用者の左目と右目に異なるイメージを提供することが可能となる。
【００２１】
上記サブピクセルは，上記複数のピクセルの行方向に順次配置される赤色，緑色，青色，のサブピクセルで構成され，上記第１カラーフィルタは上記赤色を，上記第２カラーフィルタは上記青色を透過させるとしてもよい。
【００２２】
上記視差バリアは，第１基板と；上記第１基板と対向配置される第２基板と；上記第１基板および上記第２基板の間に形成される第１電極と；上記第１基板および上記第２基板の間に形成され，上記第１電極より上記第２基盤側に位置する第２電極と；上記第１電極と第２電極の間に形成される液晶層と；を含み，上記第１電極は，上記イメージ表示部の一方向に所定間隔で繰り返し配置され；上記カラーフィルタは，上記光遮断部と上記光透過部との境界に接し，光透過部の内側に配置されるとしてもよい。
【００２３】
上記視差バリアは，
上記液晶層の両面と隣接するように配置される一対の配向膜と；上記第１基板の外面に形成される第１偏光板；上記第２基板の外面に形成される第２偏光板と；上記第１基板と上記第１電極の間に配置され，カラーフィルタを覆う平滑層と；をさらに含むとしてもよい。
【００２４】
上記カラーフィルタは，上記第１基板と接触し，上記平滑層によって，上記第１電極および上記配向膜から隔離されて位置するとしてもよい。
【００２５】
上記視差バリアは，透明基材と；上記透明基材のいずれか一面に位置して，上記イメージ表示部の一方向に所定間隔で繰り返し配置される不透明層と；を含み，上記カラーフィルタは，上記光遮断部と上記光透過部との境界に対応して配置されるとしてもよい。
【００２６】
また、上記課題を解決するために、本発明の別の観点によれば、複数のピクセルを備えたイメージ表示部で，左眼用イメージと右眼用イメージに分離されて形成されたイメージを，使用者に立体映像として提供する立体映像表示用視差バリアにおいて：上記視差バリアは，上記イメージ表示部の一方向に所定間隔で繰り返し配置される光遮断部と；上記光遮断部の間に位置する光透過部と；上記光遮断部と上記光透過部との境界に位置して，上記イメージ表示部から放出される光経路を調節するカラーフィルタと；を含み、前記複数のピクセルの各々は、３個のサブピクセルを備え、前記光透過部と隣接する一対の前記カラーフィルタの一方のカラーフィルタは、前記３個のサブピクセルのうち、中間に位置するサブピクセルを除いた残り２つのサブピクセルの一方と同じ色を透過させ、前記カラーフィルタの他方のカラーフィルタは、前記残り２つのサブピクセルの他方と同じ色を透過させる、立体映像表示用視差バリアが提供される。
【００２８】
上記光透過部と隣接する一対の上記カラーフィルタの一方のカラーフィルタは赤色を，一対の上記カラーフィルタの他方のカラーフィルタは青色を透過させるとしてもよい。
【発明の効果】
【００２９】
本実施形態による立体映像表示装置は，ピクセル単位で実現された左眼用イメージと右眼用イメージを分離させることによって，使用者が実際立体映像を観察することができる観察距離をおおよそ３００ｍｍ以内とすることができ，モバイル電話やＰＤＡ（Ｐｅｒｓｏｎａｌ  Ｄａｔｅ  Ａｓｓｉｓｔａｎｔ）のような小型機器に容易に適用することが可能である。
【００３０】
また，本実施形態の立体映像表示装置は，色分散現象を最少化して立体映像の品質と観察自由度を高める長所を有する。このように，本発明による立体映像表示装置は，実際に立体映像を視聴することができる観察距離を減らし，小型機器に容易に適用可能であって，Ｒ，Ｇ，Ｂ光経路が分散される色分散現象を最少化して，立体映像の品質と観察自由度を高める効果を有する。また，広い視野角を確保することができる。
【発明を実施するための最良の形態】
【００３１】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３２】
図１および図２に図示したように，本発明の第１実施形態による立体映像表示装置は，左眼用イメージに対応する第１ピクセル２０ａと右眼用イメージに対応する第２ピクセル２０ｂが任意のパターンで形成されるイメージ表示部２と，イメージ表示部２のいずれか一面，例えばイメージ表示部２前面に配置されて，イメージ表示部２で実現された左眼用イメージと右眼用イメージとを空間分割する視差バリア４とを含む。
【００３３】
イメージ表示部２には，一つのピクセル２０を構成する赤色Ｒ，緑色Ｇ，青色Ｂのサブピクセル６Ｒ，６Ｇ，６Ｂが，イメージ表示部２の行方向（図面のＸ軸方向）上に反復配置される。この時，イメージ表示部２の列方向（図面のＹ軸方向）上に，同色のサブピクセル６Ｒ，６Ｇ，６Ｂが配置される。
【００３４】
イメージ表示部２は，ピクセル２０ａ，２０ｂ…単位で提供される右眼用映像信号と左眼用映像信号によって，右眼用イメージと左眼用イメージを表示する。ここで，第１ピクセル２０ａと第２ピクセル２０ｂとが，イメージ表示部２の行方向（Ｘ）上にピクセル２０ａ，２０ｂ…と交互に反復配列されることで，右眼用映像信号と左眼用映像信号が提供される。
【００３５】
このようなイメージ表示部２には，従前に開発された全ての表示装置を用いることができる。一例として，イメージ表示部２は，陰極線管（ＣＲＴ），液晶表示素子（ＬＣＤ），プラズマディスプレイパネル（ＰＤＰ），電界放出表示装置（ＦＥＤ）および有機電界発光素子（ＯＬＥＤ）のうち，いずれか一つを用いることができる。
【００３６】
視差バリア４は，イメージ表示部２の列方向（Ｙ）上に，帯形状を有する光遮断部４０と光透過部４２とカラーフィルタ４４とを含んで形成される。しかし，図１と図２に例示した視差バリア４の形状は，本発明の一実施形態にすぎず，実際には多様な形態に変更して実施されるとしてもよい。
【００３７】
光透過部４２は，ピクセル群２０ａ，２０ｂ…のうちで，少なくとも２つのピクセル２０ａ，２０ｂと使用者の両眼を結ぶ光経路の交差点と対応して配置され，イメージ表示部２で実現された左眼用イメージを使用者の左眼に，右眼用イメージを使用者の右眼に提供するための分離機能を有する。図１と図２では，一例として２つのピクセル２０ａ，２０ｂごとに一つの光透過部４２が対応配置される構成を示した。
【００３８】
カラーフィルタ４４は，各々の光遮断部４０と各々の光透過部４２の境界に配置される。すなわち，カラーフィルタ４４は，各々の光遮断部４０ごとに光遮断部４０の左右両側に配置される。上記カラーフィルタ４４は，Ｒ，Ｇ，Ｂサブピクセルが６Ｒ，６Ｇ，６Ｂの順で配置される時，中間に位置するサブピクセル６Ｇを除いた残り二つのサブピクセル６Ｒ，６Ｂに対応する色を備える。
【００３９】
図１と図２では，サブピクセル６Ｒ，６Ｇ，６ＢがＲ，Ｇ，Ｂの順に配置されていることを例示したが，任意の規則で配置されるとしてもよい。このようなサブピクセル６Ｒ，６Ｇ，６Ｂの配置によって，光透過部４２の左側には赤色の第１カラーフィルタ４４Ｒが位置し，右側には青色の第２カラーフィルタ４４Ｂが位置する。
【００４０】
上記カラーフィルタの配置は，光透過部４２の左側に位置するカラーフィルタ４４Ｒとこの光透過部４２を共有する二つのピクセル２０ａ，２０ｂの中の最も左側に位置するサブピクセル６Ｒが同色を備えて，光透過部４２の右側に位置するカラーフィルタ６Ｂと，この光透過部４２を共有する二つのピクセル２０ａ，２０ｂの中，最も右側に位置するサブピクセル６Ｂが同色を備える関係を有する。
【００４１】
上記カラーフィルタ４４は，色分散を減らすために使われるもので，赤色の第１カラーフィルタ４４Ｒは，赤色のみを通過させ，青色の第２カラーフィルタ４４Ｂは，青色のみを通過させる。
【００４２】
上記カラーフィルタの使用により，使用者は，図２を基準として赤色サブピクセル６Ｒから出る光に関し，光遮断部４０が多少左に移動したと同等の効果を得て，青色サブピクセル６Ｂから出た光に関し，光遮断部４０が多少右側に移動したと同等の効果を得る。
【００４３】
従って，一つのピクセルから放出された赤色光と緑色光および青色光を，観測位置上の一点に一致させることができ，色分散を軽減できる。
【００４４】
第１実施形態のイメージ表示部２は，バックライトを含んだ液晶表示装置で形成され，視差バリア４は，ノーマリホワイトモードの透過型液晶表示素子で形成される液晶シャッター方式で形成される。もちろん，本発明において，イメージ表示部２と視差バリア４がこれに限られることはない。
【００４５】
上記で通常の液晶表示装置が提供できるため，以下には視差バリア４についてより具体的に説明する。
【００４６】
図３は，この第１実施形態による視差バリア４を具体的に示した断面図である。図３を参照すると，視差バリア４は第１基板組立体（符号４８ａ，４０ａ，４４ＲＧＢ，４２ａ，４４ａ）と第２基板組立体（符号４８ｂ，４０ｂ，４２ｂ，４４ｂ）と両組立体の対向面間に注入された液晶層とからなり，これを他の観点から説明すると，互いに対向配置される第１基板４０ａおよび第２基板４０ｂと，第１基板４０ａおよび第２基板４０ｂの対向する内面に形成される第１電極４２ａおよび第２電極４２ｂと，第１電極４２ａおよび第２電極４２ｂを覆う配向膜４４ａ，４４ｂと，この配向膜４４ａ，４４ｂの間に注入配置される液晶層４６と，第１基板４０ａおよび第２基板４０ｂの外面に各々付着される第１偏光板４８ａおよび第２偏光板４８ｂとを含む。
【００４７】
第１電極４２ａおよび第２電極４２ｂのうちのいずれか一つの電極，一例として第１電極４２ａは，所定間隔をおいて繰り返し配置される。
【００４８】
係る構成により，第１電極４２ａと第２電極４２ｂとに所定の駆動電圧を印加すると，第１電極４２ａが位置する部分では液晶層４６に含まれた液晶分子の配列状態が変化して，イメージ表示部２から提供された光を遮断し，この第１電極４２が位置しない部分では，上記光を透過させる。上記作用によって，視差バリア４には，光遮断部４０と光透過部４２が形成され，図３ではこれを点線で区別した。
【００４９】
上記液晶シャッター形態の視差バリア４において，カラーフィルタ４４は，第１電極４２ａを覆っている配向膜４４ａと第１基板４０ａとの間に配置され，配向膜４４ａと第１基板４０ａとの間には平滑層４３が配置されるとしてもよい。
【００５０】
この場合，カラーフィルタ４４は，平滑層４３によって覆われるとしてもよい。もちろん，この時，カラーフィルタ４４の第１カラーフィルタ４４Ｒと第２カラーフィルタ４４Ｂは，光透過部４２の両端に位置する。
【００５１】
ここで第１カラーフィルタ４４Ｒまたは第２カラーフィルタ４４Ｂが有する幅は，立体映像の輝度や画質に影響を与えない程度の大きさに維持される。
【００５２】
上述ように構成される視差バリア４は，上記作用により使用者に３次元の立体映像を提供することができ，必要に応じて遮断（ｏｆｆ）モードで維持されて，イメージ表示部２で実現される画像を２次元モードとして使用者に提供することも可能である。
【００５３】
本発明の発明者は，上記のように立体映像表示装置を構成して，この立体映像表示装置で実現される，即ち，発明の第１実施形態による視差バリア４によって分離される，右眼用イメージと左眼用イメージに対する光特性を測定した結果，次のようになることが分かった。
【００５４】
図４Ａおよび図４Ｂは，本発明の第１実施形態による立体映像表示装置に対する右眼用イメージと左眼用イメージの光特性を示すグラフである。ここで，縦軸は相対輝度を，横軸は観測位置を表す。
【００５５】
図４Ａは，視差バリアが有するカラーフィルタ（上記第１カラーフィルタまたは第２カラーフィルタ）の幅を２０μｍとした場合であり，図４Ｂは視差バリアが有するカラーフィルタ（上記第１カラーフィルタまたは第２カラーフィルタ）の幅を４０μｍとした場合である。
【００５６】
また，図５は，全体構成は本発明の第１実施形態による立体映像表示であるが，視差バリアにはカラーフィルタが含まれていない立体映像表示装置の右眼用イメージと左眼用イメージの光特性を示したグラフである。
【００５７】
この時，視差バリアが有する光透過部のピッチを３００ｕｍに，使用者の観察距離を３５０ｍｍに維持した。
【００５８】
図示されたように，本実施形態による（図４Ａ，図４Ｂ）右眼用イメージと左眼用イメージの光は，比較例（図５）の右眼用イメージと左眼用イメージの光に比べて，Ｒ，Ｇ，Ｂ光がさらに近いある１ケ所に集まることが分かる。
【００５９】
従って，本実施形態では比較例に比べて色分散が起こる程度を軽減することができ，一つのピクセルによって実現されるＲ光，Ｂ光の重畳程度（本実施形態はＡ１，Ａ２，比較例はＡ３）だけ使用者は観察自由度を有するようになる。
【００６０】
図６は，本発明の第２実施形態による視差バリア９８を説明するために示した部分断面図であって，この視差バリア９８は，透明基材１００と，透明基材１００のいずれか一面に位置する不透明層１０２とを含む。
【００６１】
上記不透明層１０２は，所定間隔をおいて繰り返し配置されるとしてもよい。すなわち，上記不透明層１０２は，任意の間隔（ｄ）をおいて，帯状タイプで透明基材１００上に複数形成されるとしてもよい。
【００６２】
上記不透明層１０２の両側には，カラーフィルタ１０４の第１カラーフィルタ１０４ａと第２カラーフィルタ１０４ｂとが各々上記不透明層１０２と上記任意の間隔（ｄ）との境界に対応して配置される。
【００６３】
係る構成によって，上記第２実施形態による視差バリア９８は，不透明層１０２を光遮断部として，上記不透明層１０２の間に配置される透明基材部位１００ａを光透過部として，上記の第１実施形態の視差バリアと同じ機能を有する。
【００６４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００６５】
【図１】本発明の第１実施形態による立体映像表示装置の部分分解斜視図である。
【図２】本発明の第１実施形態による立体映像表示装置の部分断面図である。
【図３】本発明の第１実施形態による視差バリアの構成を示した断面図である。
【図４Ａ】本発明の第１実施形態による立体映像表示で，左眼用イメージ用光と右眼用イメージ用光の分布特性を示したグラフである。
【図４Ｂ】本発明の第１実施形態による立体映像表示で，左眼用イメージ用光と右眼用イメージ用光の分布特性を示したグラフである。
【図５】従来技術による立体映像表示装置で，左眼用イメージ用光と右眼用イメージ用光の分布特性を示したグラフである。
【図６】本発明の第２実施形態による視差バリアの構成を示した断面図である。
【符号の説明】
【００６６】
２          イメージ表示部
４          視差バリア
２０        ピクセル
２０ａ      第１ピクセル
２０ｂ      第２ピクセル
４０        光遮断部
４０ａ      第１基板
４０ｂ      第２基板
４２        光透過部
４２ａ      第１電極
４２ｂ      第２電極
４３        平滑層
４４        カラーフィルタ
４４ａ，４４ｂ    配向膜
４６        液晶層
４８ａ      第１偏光板
４８ｂ      第２偏光板
９８        視差バリア
１００      透明基材
１０２      不透明層
１０４      カラーフィルタ
１００ａ    透明基材部位
【図１】
0004727392.tif 000002
【図２】
0004727392.tif 000003
【図３】
0004727392.tif 000004
【図４Ａ】
0004727392.tif 000005
【図４Ｂ】
0004727392.tif 000006
【図５】
0004727392.tif 000007
【図６】
0004727392.tif 000008